(57)【特許請求の範囲】
【請求項１】
ＩＭＳＩ（International Mobile Subscriber Identity）が格納された着脱可能なＩＣカードを備え、通信ネットワークを介して通信可能な通信端末装置であって、
前記ＩＣカードは、
当該通信端末装置に設定されているＭＳＩＳＤＮ（Mobile Subscriber Integrated Services Digital Network Number）が記憶される第１の記憶領域と、
ＩＭＳ（IP Multimedia Subsystem）の通信ネットワークサービスにおける識別情報であるＩＭＰＵ（IMS Public User Identity）が記憶される第２の記憶領域と、
当該通信端末装置のアクティベーション開始時に、前記ＩＭＳＩに対応するＭＳＩＳＤＮを受信して前記第１の記憶領域に格納し、そのＭＳＩＳＤＮの格納のイベントを検知したとき、前記第１の記憶領域に格納されたＭＳＩＳＤＮに基づいて前記ＩＭＰＵを生成して前記ＭＳＩＳＤＮに対応付けて前記第２の記憶領域に格納する手段と、を備えることを特徴とする通信端末装置。
【請求項２】
請求項１の通信端末装置において、
前記ＩＣカードは、前記ＩＭＳＩに基づいて、前記ＩＭＳの通信ネットワークサービスにおける他の識別情報であるＩＭＰＩ（IMS Private User Identity）を生成して前記第２の記憶領域に格納することを特徴とする通信端末装置。
【請求項３】
請求項１の通信端末装置において、
前記ＩＣカードは、前記ＩＭＳＩに基づいてＨＲＰＤ（High Rate Packet Data）の通信ネットワークサービスで用いられる識別情報であるＵＰＰ（User Profile Parameter）を生成して前記第２の記憶領域に格納することを特徴とする通信端末装置。
【請求項４】
請求項１乃至３のいずれかの通信端末装置において、
前記ＩＣカードは前記識別情報の生成及び格納を行うアプレットが組み込まれていることを特徴とする通信端末装置。
【請求項５】
請求項１乃至４のいずれかの通信端末装置と、前記通信端末装置に格納される識別情報を管理するサーバとを備える通信システム。
【発明の詳細な説明】
【技術分野】
【０００１】
本発明は、通信ネットワークを介して通信可能な通信端末装置、及び、その通信端末装置を含む通信システムに関するものである。
【背景技術】
【０００２】
従来、この種の通信端末装置として、通信ネットワークを介して通信する通信サービスを、複数種類の識別情報を用いて利用する通信端末装置が知られている。例えば、移動通信ネットワークを介してＩＭＳ（IP Multimedia Subsystem）通信サービスを利用可能な通信端末装置では、その通信端末装置内に設けられた汎用ＩＣカード（以下「ＵＩＣＣ」という。）に、３ＧＰＰ移動通信ネットワーク上の第１の識別情報としてのＭＳＩＳＤＮ（Mobile Subscriber ISDN Number）とともに、ＩＭＳネットワーク上の第２の識別情報としてのＩＭＰＵ（IMS Public User Identity）が格納される（非特許文献１、２参照）。ＭＳＩＳＤＮは、移動通信ネットワーク上の通話やＳＭＳ等の通信サービスで用いられる電話番号であり、ＩＭＰＵは、ＩＭＳネットワーク上のＶｏＬＴＥ（Voice over LTE）（非特許文献３参照）等の通信サービスで用いられ、ＭＳＩＳＤＮに対応付けて生成される識別情報である。ＭＳＩＳＤＮやＩＭＰＵ等の識別情報は、例えば、通信サービスの加入者に関する識別情報等の各種情報を管理するＨＳＳ（Home Subscriber Server）等のサーバに格納されるとともに前述のように通信端末装置内のＵＩＣＣに格納される。
【発明の概要】
【発明が解決しようとする課題】
【０００３】
上記従来の通信端末装置では、通信サービスを利用するための利用者や通信端末装置の新規登録時に、ＭＳＩＳＤＮ（第１の識別情報）及びＩＭＰＵ（第２の識別情報）の両方をＵＩＣＣに新規格納する場合がある。この場合、無線通信を利用するＯＴＡ（Over-The-Air）によりサーバからＭＳＩＳＤＮを受信してＵＩＣＣ内の所定記憶領域に格納する第１のトランザクションと、ＯＴＡによりサーバからＩＭＰＵを受信してＵＩＣＣ内の別の所定記憶領域に格納する第２のトランザクションとを実行していた。このように複数のＯＴＡトランザクションを実行していたため、上記識別情報の新規登録時に、サーバにおける負荷が増大したりサーバと通信端末装置との間の通信ネットワークの負荷が増大したりするおそれがある。
【０００４】
なお、上記新規登録時におけるサーバ及び通信ネットワークの負荷増大という課題は、ＭＳＩＳＤＮ及びＩＭＰＵをＵＩＣＣに新規格納する場合に限定されることなく、通信サービスを利用するための複数種類の識別情報を通信端末装置に新規格納する場合であれば同様に発生し得るものである。例えば、上記課題は、通信サービスを利用するための新規登録時に、ＩＭＳＩ（International Mobile Subscriber Identity）とＩＭＳ通信ネットワークサービスで用いられるＩＭＰＩ（IMS Private User Identity）とを新規格納する場合に同様に発生し得る。また、上記課題は、通信サービスを利用するための新規登録時に、ＩＭＳＩとＨＲＰＤ（High Rate Packet Data）の通信ネットワークサービスで用いられるＵＰＰ（User Profile Parameter）とを新規格納する場合にも同様に発生し得る。また、上記課題は、通信サービスを利用するための新規登録時に、第１の識別情報及び第２の識別情報の両方がＵＩＣＣではなく通信端末装置の本体側の記憶装置に新規格納される場合や、第１の識別情報が通信端末装置の本体側の記憶装置に新規格納され第２の識別情報がＵＩＣＣに新規格納される場合にも同様に発生し得る。
【０００５】
本発明は以上の問題点に鑑みなされたものであり、その目的は、通信サービスを利用するための識別情報の新規登録時におけるサーバ及び通信ネットワークの負荷増大を抑制することができる通信端末装置及びその通信端末装置を含む通信システムを提供することである。
【課題を解決するための手段】
【０００６】
本発明の一態様に係る通信端末装置は、通信ネットワークを介して通信可能な通信端末装置であって、当該通信端末装置又はその利用者の少なくとも一方を識別可能な複数種類の識別情報のうち一部の識別情報が記憶される第１の記憶手段と、前記複数種類の識別情報のうち前記一部の識別情報以外の他の識別情報が記憶される第２の記憶手段と、前記一部の識別情報を受信して前記第１の記憶手段に格納する手段と、前記第１の記憶領域に格納された前記一部の識別情報に基づいて前記他の識別情報を生成して前記第２の記憶手段に格納する手段と、を備える。
【０００７】
前記通信端末装置において、ＩＣカードを備え、前記第１の記憶手段及び第２の記憶手段はそれぞれ、前記ＩＣカード内に設けられていてもよい。
また、前記通信端末装置において、前記ＩＣカードに前記他の識別情報の生成及び格納を行うアプレットが組み込まれていてもよい。
また、前記通信端末装置において、前記一部の識別情報は、当該通信端末装置に設定されたＭＳＩＳＤＮであり、前記他の識別情報は、ＩＭＳの通信ネットワークサービスで用いられるＩＭＰＵであってもよい。
また、前記通信端末装置において、前記一部の識別情報は、当該通信端末装置に設定されたＩＭＳＩであり、前記他の識別情報は、ＩＭＳの通信ネットワークサービスで用いられるＩＭＰＩであってもよい。
また、前記通信端末装置において、前記一部の識別情報は、当該通信端末装置に設定されたＩＭＳＩであり、前記他の識別情報は、ＨＲＰＤの通信ネットワークサービスで用いられるＵＰＰであってもよい。
【０００８】
また、本発明の他の態様に係る通信システムは、前記通信端末装置と、前記通信端末装置に格納される識別情報を管理するサーバとを備える。
【発明の効果】
【０００９】
本発明によれば、通信サービスを利用するための識別情報の新規登録時におけるサーバ及び通信ネットワークの負荷増大を抑制することができる。
【図面の簡単な説明】
【００１０】
【図１】本発明の一実施形態に係る通信システムの一例を示す概略構成図。
【図２】本実施形態の通信端末装置のハードウェア構成の一例を示すブロック図・
【図３】本実施形態の通信端末装置に装着されているＵＩＣＣのファイル構造の一例を示すブロック図。
【図４】本実施形態の通信端末装置のアクティベーションにおいてＵＩＣＣに複数の識別情報（ＭＳＩＳＤＮ及びＩＭＰＵ）を新規登録するときの処理の一例を示すフローチャート。
【発明を実施するための形態】
【００１１】
以下、図面を参照しながら本発明の実施形態について説明する。
図１は、本実施形態に係る通信システムの一例を示す概略構成図である。この通信システムでは、通信端末装置１０を用いて通信サービスを利用するための複数の識別情報が所定のサーバやデータベースに登録されて管理される。例えば、移動体通信ネットワーク４０での電話、メッセージ、メール、インターネットアクセス等の通信サービスを利用するための識別情報であるＩＭＳＩ（International Mobile Subscriber Identity：加入者識別子）、ＭＳＩＳＤＮ（Mobile Subscriber ISDN Number：電話番号）、ＩＭＥＩ（International Mobile Equipment Identifier：端末識別情報）等が、加入者情報データベースであるＨＬＲ（Home Location Register）２０に登録されて管理される。また、移動体通信ネットワーク４０上に構築されたＩＰネットワークであるＩＭＳ（IP Multimedia Subsystem）ネットワークにおけるＶｏＬＴＥ等の通信サービスを利用するための識別情報であるＩＭＰＵ（IP Multimedia Public Identity）、ＩＭＰＩ（IP Multimedia Private Ｉdentity）等が、ＩＭＳの加入者情報管理サーバであるＨＳＳ（Home Subscriber Server）２５に登録されて管理される。これらのＨＬＲ２０及びＨＳＳ２５は、移動体通信ネットワーク４０を介して所定の通信プロトコルにより通信端末装置１０と通信できるように構成されている。
【００１２】
ここで、ＩＭＰＵは、ＩＭＳネットワーク内でＳＩＰメッセージ信号を宛先の通信端末装置（ＩＭＳ端末）までルーティングするための一意に識別可能な識別子であり、例えばＭＳＩＳＤＮに基づいて生成することができる（非特許文献２の第１３章参照）。また、ＩＭＰＩは、ＩＭＳの加入契約の識別やＩＭＳへのアクセス時の認証のために使用される一意に識別可能な識別子であり、例えばＩＭＳＩに基づいて生成することができる（非特許文献２の第１３章参照）。
【００１３】
通信端末装置１０は、移動体通信ネットワーク４０の基地局４１を介してＨＬＲ２０及びＨＳＳ２５と通信することができる。この通信端末装置１０には、３Ｇ，４Ｇ，ＬＴＥ（Long Term Evolution）等の移動体通信ネットワーク４０での電話、メッセージ、メール、インターネットアクセス等の通信サービス（以下、「移動体通信サービス」という。）やＩＭＳネットワークにおけるＶｏＬＴＥ等の通信サービス（以下、「ＩＭＳ通信サービス」という。）を利用するためのソフトウェアであるアプリケーションプログラムが組み込まれている。また、通信端末装置１０には、上記ＩＭＳＩ、ＭＳＩＳＤＮ、ＩＭＥＩ、ＩＭＰＵ、ＩＭＰＩ等の複数の識別情報が格納される汎用統合ＩＣカードであるＵＩＣＣ（Universal Integrated Circuit Card）を備えている。このＵＩＣＣには、上記通信サービスで使用される各種データやカード内で所定の動作や処理を行うための個別プログラムであるアプレットも格納されている。なお、本実施形態の通信端末装置１０は、利用者の作業によってＵＩＣＣを着脱できるように構成されているが、利用者が容易に取り外せないようにＵＩＣＣを内部に組み込むように構成してもよい。
【００１４】
上記アプリケーションプログラム（以下、適宜「アプリケーション」と略す）やアプレットは、通信ネットワーク上のサーバから適宜ダウンロードして通信端末装置１０内に登録することができ、それらの中から利用者が選択して実行することができる。アプリケーションプログラムやアプレットは、通信端末装置１０に構築されたＪＡＶＡ（登録商標）実行環境などのアプリケーション実行環境上で実行される。
【００１５】
図２は、本実施形態の通信端末装置１０のハードウェア構成の一例を示すブロック図である。この通信端末装置１０は、主制御部１１０と無線通信部１１１とベースバンド処理部１１２と音入出力部１１３と表示部１１４と操作手段としての操作部１１５とを備える。また、通信端末装置１０は、装置本体に対して着脱可能なＵＩＣＣ１５が装着されている。ＵＩＣＣ１５は、移動体通信サービスで用いられるＵＳＩＭ（Universal Subscriber Identity Module）としての機能とＩＭＳ通信サービスで用いられるＩＳＩＭ（IMS Subscriber Identity Module）としての機能とが組み込まれている。
【００１６】
主制御部１１０は、ＭＰＵ（Micro Processing Unit）、ＲＡＭ、ＲＯＭ等を備え、所定の基本ＯＳやミドルウェア等のプログラムが実行されることにより、ベースバンド処理部１１２等の各部を制御したり、ソフトウェア構成上のネイティブプラットフォーム環境やアプリケーション実行環境を構築したりする。
【００１７】
無線通信部１１１は、移動体通信ネットワーク４０を介して通信するネットワーク通信手段として機能し、例えばシンセサイザ、周波数変換器，高周波増幅器などにより構成され、移動体通信ネットワーク４０の基地局４１との間で無線通信するための高周波信号処理を実行する。
【００１８】
ベースバンド処理部１１２は、他の携帯電話機等の通信端末装置や各種サーバとの間で音声通信やデータ送受信の通信を行うためのデジタル処理を実行する。このベースバンド処理部１１２と上記無線通信部１１１との間はＤ／Ａ変換器やＡ／Ｄ変換器を介して接続されている。
【００１９】
音入出力部１１３は、マイク、スピーカ、音信号処理部等で構成されている。マイクから出力されるアナログの音声信号は、音信号処理部でデジタル信号に変換され、主制御部１１０やベースバンド処理部１１２等に送られる。スピーカは、音信号処理部でデジタル信号から変換されたアナログ信号が入力され、通話中の音声を出力したり、メールの着信音、電話の呼び出し音、音楽などを出力したりする。なお、スピーカは、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２０】
表示部１１４は、ＬＣＤ（液晶ディスプレイ）等で構成され、主制御部１１０からの指令に基づいて各種画像を表示する。操作部１１５は、表示部１１４に組み込まれたタッチパネルや、各種の操作キーやボタン、電源ＯＮ／ＯＦＦ手段としての電源スイッチなどで構成されている。この操作部１１５は、利用者が、通信端末装置１０の本体電源をＯＮ／ＯＦＦしたり、通話開始、終話、メニュー選択、画面切り換え等を指示したり、情報を入力したりするときに用いられる。
【００２１】
また、通信端末装置１０は、位置情報取得手段としてのＧＰＳ（Global Positioning System）部１１７、撮像手段としてのカメラ部１１８、センサー部１１９、電源供給手段としての電源供給部１２０、図示しない時計部等も備えている。
【００２２】
ＧＰＳ部１１７は、ＧＰＳ受信モジュールやＧＰＳアンテナ等で構成され、地球の周りに配置されている複数のＧＰＳ衛星から電波を受信し、その受信結果に基づいて通信端末装置１０が位置する緯度、経度及び高度のデータを算出する。カメラ部１１８は、レンズや撮像デバイス等で構成され、人物や風景等を撮影する時に用いられる。撮像デバイスとしては、ＣＣＤ（Charge Coupled Device）カメラやＣＭＯＳカメラを用いることができる。センサー部１１９は、加速度センサー及び／又は地磁気センサー等で構成されている。加速度センサーは、１軸の加速度センサーであっていいし、２軸や３軸等の複数軸の加速度センサーであってもよい。また、地磁気センサーも、１軸の地磁気センサーであっていいし、２軸や３軸等の複数軸の地磁気センサーであってもよい。このセンサー部１１９の出力に基づいて、通信端末装置１０の位置、向き、姿勢及び動きを示すデータを算出することができる。また、センサー部１１９の出力に基づいて、所定高度における基準位置から利用者の通信端末装置１０が移動したときの加速度データや地磁気データの時間変化の情報である履歴情報から、通信端末装置１０が位置している高度、角度等を示すデータを算出することができる。
【００２３】
電源供給部１２０は、充電可能なバッテリー、バッテリーから各部に所定電圧の電力を供給する電力供給回路、バッテリーを充電する充電回路などを備えている。また、電源供給部１２０は、通信端末装置１０における主要部すなわち音入出力部１１３、表示部１１４、操作部１１５の一部、ＧＰＳ部１１７、カメラ部１１８及びセンサー部１１９への電力供給については、前述の利用者が操作可能な電源スイッチによりＯＮ／ＯＦＦできるように構成されている。なお、電源スイッチのＯＦＦ時に一部の機能を動作させるために、電源供給部１２０は、電源スイッチのＯＦＦ時においても無線通信部１１１、ベースバンド処理部１１２及びＵＩＣＣ１５への電力供給を継続して行うように構成してもよい。
【００２４】
時計部はクロック回路等で構成され、正確な日時を計数し、例えば各種の更新処理等のための時刻情報を生成する。
【００２５】
図３は、本実施形態の通信端末装置１０に装着されているＵＩＣＣ１５の主要構成の一例を示すブロック図である。ＵＩＣＣ１５は、例えばＩＣモジュールで構成され、ＣＰＵなどからなる制御部１５０と、ＲＯＭやＲＡＭなどからなる記憶手段としての記憶部１５１と、通信端末装置本体と通信するためのＩ／Ｏインターフェース部１５２とを備えている。
【００２６】
記憶部１５１は、主に制御部１５０が制御に用いる基本プログラム、アプレット、データ等が格納されたシステム領域１５１ａと、第１の記憶手段としてのＵＳＩＭ領域１５１ｂと、第２の記憶手段としてのＩＳＩＭ領域１５１ｃとを有している。ＵＳＩＭ領域１５１ｂには、前述のＩＭＳＩ、ＭＳＩＳＤＮ及びＩＭＥＩ等の複数の識別情報や電話・アドレスブック等の、移動体通信サービスのＵＳＩＭ機能を実現するための各種情報やデータが記憶されている。また、ＩＳＩＭ領域１５１ｃには、前述のＩＭＰＵ及びＩＭＰＩ等の複数の識別情報や通信端末装置１０が接続すべきＳＩＰ（Session Initiation Protocol）中継サーバであるＰ−ＣＳＣＦ（Proxy-Call Session Control Function）のアドレス等の、ＩＭＳ通信サービスのＩＳＩＭ機能を実現するための情報やデータ等が記憶される。
【００２７】
また、記憶部１５１のシステム領域１５１ａには、ＵＩＣＣ１５での処理に用いられる比較的小さなサイズのプログラムであるアプレットも記憶されている。例えば、システム領域１５１ａには、ＵＳＩＭ領域１５１ｂに格納された識別情報であるＭＳＩＳＤＮに基づいて他の識別情報であるＩＭＰＵを生成してＩＳＩＭ領域１５１ｃに格納する処理を行う識別情報自動生成アプレットが記憶されている。
【００２８】
ＵＩＣＣ１５の制御部１５０は、上記識別情報自動生成アプレットが実行されるとともに、装置本体側の主制御部１１０と協働することにより、ＵＳＩＭ領域１５１ｂに格納された識別情報であるＭＳＩＳＤＮに基づいて他の識別情報であるＩＭＰＵを生成してＩＳＩＭ領域１５１ｃに格納する処理を行う手段として機能する。
【００２９】
図４は、本実施形態の通信端末装置１０のアクティベーションにおいてＵＩＣＣ１５に複数の識別情報（ＭＳＩＳＤＮ及びＩＭＰＵ）を新規登録するときの処理の一例を示すフローチャートである。なお、図４のアクティベーションを実行する前の状態において、ＵＩＣＣ１５のＵＳＩＭ領域１５１ｂには、識別情報としてＩＭＳＩ及びＩＭＥＩは格納されているが、ＭＳＩＳＤＮはまだ格納されていない。また、ＵＩＣＣ１５のＩＳＩＭ領域１５１ｂには、識別情報としてＩＭＰＩ及びＩＭＰＵのいずれも格納されていない。
【００３０】
図４において、まず、利用者が通信端末装置１０を操作してアクティベーションを開始する（ステップＳ１０１）。次に、通信端末装置１０は、所定のＯＴＡ（Over-The-Air）を伴うトランザクションを実行し、ＵＩＣＣ１５に格納されているＩＭＳＩに基づいてＨＬＲ２０にアクセスし、ＩＭＳＩに対応するＭＳＩＳＤＮ（電話番号）をダウンロードしてＵＩＣＣ１５のＵＳＩＭ領域１５１ｂに格納する（ステップＳ１０２）。
【００３１】
次に、通信端末装置１０のＵＩＣＣ１５に格納されている識別情報自動生成アプレットにより、上記ＭＳＩＳＤＮの格納のイベントが検知されると、そのＭＳＩＳＤＮに基づいて、予め設定されている所定の書式及び／又はアルゴリズムによりＩＭＰＵが生成される（ステップＳ１０３）。生成されたＩＭＰＵは、ＵＩＣＣ１５のＩＳＩＭ領域１５１ｃに格納される（ステップＳ１０４）。なお、前述のＨＳＳ２５には、通信端末装置１０での処理と同様に、上記ＭＳＩＳＤＮに基づいてＩＭＰＵが生成され、ＭＳＩＳＤＮに対応付けて登録される。
【００３２】
以上、本実施形態によれば、通信端末装置１０において、ＵＳＩＭ領域１５１ｂへのＭＳＩＳＤＮの格納のイベントが検知されると、そのＭＳＩＳＤＮに基づいてＩＭＰＵが自動生成されてＵＩＣＣ１５のＩＳＩＭ領域１５１ｃに格納される。従って、ＯＴＡを伴うトランザクションを実行してＩＭＰＵをＨＳＳ２５等からダウンロードする処理が不要になる。よって、通信サービスを利用するためのＭＳＩＳＤＮ及びＩＭＰＵの新規登録時におけるＨＳＳ２５や移動体通信ネットワーク４０の負荷増大を抑制することができる。
【００３３】
なお、上記実施形態では、第１の識別情報としてのＭＳＩＳＤＮと第２の識別情報としてのとしてのＩＭＰＵをＵＩＣＣ１５に新規格納する場合について説明したが、これに限定されることなく、本発明は、通信サービスを利用するための複数種類の識別情報を通信端末装置に新規格納する場合であれば同様に適用することができる。
【００３４】
例えば、本発明は、通信サービスを利用するための識別情報の新規登録時に第１の識別情報としてのＩＭＳＩと第２の識別情報としてのＩＭＰＩとを新規格納する場合に同様に適用することができる。この場合、通信端末装置１０において、ＵＳＩＭ領域１５１ｂへＩＭＳＩを格納するイベントが検知されると、そのＩＭＳＩに基づいてＩＭＰＩが自動生成されてＵＩＣＣ１５のＩＳＩＭ領域１５１ｃに格納される。
【００３５】
また、本発明は、通信サービスを利用するための識別情報の新規登録時に、第１の識別情報としてのＩＭＳＩとＨＲＰＤ（High Rate Packet Data）の通信ネットワークサービスで用いられる第２の識別情報としてのＵＰＰ（User Profile Parameter）とを新規格納する場合にも同様に適用することができる。この場合、通信端末装置１０において、ＵＳＩＭ領域１５１ｂへＩＭＳＩを格納するイベントが検知されると、そのＩＭＳＩに基づいてＨＲＰＤのＵＰＰが自動生成されてＵＩＣＣ１５のＩＳＩＭ領域１５１ｃに格納される。
【００３６】
また、本発明は、通信サービスを利用するためのＭＳＩＳＤＮ等の第１の識別情報及びＩＭＰＵ等の第２の識別情報の新規登録時に、第１の識別情報及び第２の識別情報の両方がＵＩＣＣ１５ではなく通信端末装置１０の本体側の記憶装置に新規格納される場合や、第１の識別情報が通信端末装置１０の本体側の記憶装置に新規格納され第２の識別情報がＵＩＣＣ１５に新規格納される場合にも同様に発生し得る。
【００３７】
また、上記第１の識別情報及び第２の識別情報はそれぞれ複数であってもよい。例えば、本発明は、通信サービスを利用するための識別情報の新規登録時に第１の識別情報としてのＩＭＳＩ及びＳＩＳＤＮと第２の識別情報としてのＩＭＰＩ及びＩＭＰＵとを新規格納する場合に同様に適用することができる。この場合、通信端末装置１０において、ＵＳＩＭ領域１５１ｂへＩＭＳＩ及びＳＩＳＤＮを格納するイベントが検知されると、ＩＭＳＩに基づいてＩＭＰＩが自動生成されるとともにＭＳＩＳＤＮに基づいてＩＭＰＵが自動生成され、その自動生成されたＩＭＰＩ及びＩＭＰＵがＵＩＣＣ１５のＩＳＩＭ領域１５１ｃに格納される。
【符号の説明】
【００３８】
１０  通信端末装置
１５  ＵＩＣＣ
１５１ｂ  ＵＳＩＭ領域
１５１ｃ  ＩＳＩＭ領域
２０  ＨＬＲ
２５  ＨＳＳ
４０  移動体通信ネットワーク
【先行技術文献】
【非特許文献】
【００３９】
【非特許文献１】3GPP TS 23.228 V12.5.0 (2014-06),"Technical Specification Group Services and System Aspects; IP Multimedia Subsystem (IMS); Stage 2 (Release 12)".
【非特許文献２】3GPP TS 23.003 V12.2.0 (2014-03),"Technical Specification Group Core Network and Terminals; Numbering, addressing and identification(Release 12)".
【非特許文献３】GSMA PRD IR.92: "IMS Profile for Voice and SMS", Mar. 2011.
【図１】
0005940597.tif 000002
【図２】
0005940597.tif 000003
【図３】
0005940597.tif 000004
【図４】
0005940597.tif 000005